【事件の表示】
　特願２００４−１２５３６９「封筒および封筒の製造方法」拒絶査定不服審判事件〔平成１７年１１月　４日出願公開、特開２００５−３０６４３１〕について、次のとおり審決する。
【結　論】
　本件審判の請求は、成り立たない。
【理　由】
第１．手続の経緯 
　本願は，平成１６年４月２１日の出願であって，平成２２年２月２日付けで拒絶査定がなされ，これに対し，同年５月７日に拒絶査定不服審判の請求がなされると同時に特許請求の範囲及び明細書を対象とする手続補正がなされたものである。
　
第２．原査定
　原査定における拒絶の理由は，以下のとおりのものと認める。
　「この出願の請求項に係る発明は，その出願前に日本国内又は外国において，頒布された下記の刊行物に記載された発明又は電気通信回線を通じて公衆に利用可能となった発明に基いて，その出願前にその発明の属する技術の分野における通常の知識を有する者が容易に発明をすることができたものであるから，特許法第２９条第２項の規定により特許を受けることができない。
　特開２００３−１９１９６２号公報」
　
第３．平成２２年５月７日付けの手続補正についての補正却下の決定
〔補正の却下の決定の結論〕
　平成２２年５月７日付けの手続補正（以下「本件補正」という。）を却下する。
〔理由〕
１．本件補正の概要
　本件補正は，願書に最初に添付した特許請求の範囲に
　「【請求項１】表裏一対のシートを有し，該表裏一対のシートにおいて，その左側端縁同士を連結する左側端部と，その右側端縁同士を連結する右側端部と，その下端縁同士を連結する下端部と，その上端縁間に開口部とを有する封筒であって，前記開口部の内方に上下分離線が形成されており，該上下分離線と前記下端部との間において，該上下分離線と前記下端部を結ぶように側方分離線が形成されていることを特徴とする封筒。
　【請求項２】前記上下分離線と前記側方分離線が，前記表裏一対のシートにおいて，ミシン目によって形成されたものであることを特徴とする請求項１記載の封筒。
　【請求項３】前記上下分離線と前記側方分離線が，前記表裏一対のシートにおいて，該シートの表面から凹んだ溝によって形成されたものであることを特徴とする請求項１記載の封筒。
　【請求項４】前記表裏一対のシートの素材が，光透過性を有する樹脂材料であることを特徴とする請求項１記載の封筒。
　【請求項５】請求項１記載の封筒を製造する製造方法であって，前記封筒を展開した形状であって，互いに対向する一対の側端縁を有する展開シートを形成し，前記展開シートにおいて，該展開シートの上端縁の内方に前記上下分離線を形成し，前記展開シートにおいて，その下端縁と前記上下分離線との間において，前記上下分離線と該展開シートの下端縁を結ぶように一対の前記側方分離線を形成し，前記展開シートを，前記一対の側端縁同士が重なり合うように折り曲げて，該一対の側端縁同士，および重なり合った下端縁同士を連結することを特徴とする封筒の製造方法。
　【請求項６】前記展開シートが，打ち抜き加工によって一の原シートから打ち抜かれて形成されたものであり，前記原シートから前記展開シートを打ち抜くと同時に，該展開シートに，ミシン目によって前記上下分離線および前記側方分離線を形成することを特徴とする請求項５記載の封筒の製造方法。
　【請求項７】前記展開シートが，打ち抜き加工によって一の原シートから打ち抜かれて形成されたものであり，前記原シートから前記展開シートを打ち抜くと同時に，該展開シートに，該シートの表面から凹んだ溝によって前記上下分離線および前記側方分離線を形成することを特徴とする請求項５記載の封筒の製造方法。」
とあるのを，次のとおりに補正する事項を含むものである。
　
　「【請求項１】表裏一対の樹脂材料のシート２，３を有し，該表裏一対の樹脂材料のシートにおいて，その左側端縁同士を連結する左側端部１０ａと，その右側端縁同士を連結する右側端部１０ｂと，その下端縁同士を連結する下端部１０ｄと，その上端縁間に開口部とを有する樹脂材料の封筒であって，前記開口部の内方に上下分離線２１ａ，２１ｂが，上下分離線２１ａとシート２の上端縁１０ｃとの間の距離と上下分離線２１ｂとシート３の上端縁１０ｃとの間の距離が同じになり，上下分離線２１ａ，２１ｂ同士が重なり合うように形成されており，該上下分離線と前記下端部との間において，該上下分離線２１ａ，２１ｂと前記下端部を結ぶように側方分離線２２ａ，２２ｂが，側方分離線２２ａとシート２の右側端部１０ｂとの間の距離と側方分離線２２ｂとシート３の右側端部１０ｂとの間の距離が同じになり，側方分離線２２ａ，２２ｂ同士が重なり合うように形成されており，かつ，該側方分離線２２ａが下端部１０ｄ近傍で，市販されている２辺が開口部となった樹脂材料の書類ホルダが有する右下の三角形の切込みとなるように，形成されており，ならびに，上下分離線２１ａ，２１ｂおよび前記側方分離線２２ａ，２２ｂが分離する場合に市販されている樹脂材料の書類ホルダと実質同様の切り口となるミシン目あるいは該シートの表面から凹んだ溝によって形成されたものであることを特徴とする，シートの上端縁を上下分離線２１ａ，２１ｂにおいて他の部分から分離する場合に，開封することができ，次いで右側端部１０ｂを側方分離線２２ａ，２２ｂおいて封筒の他の部分から分離する場合に，下端部と左側端部だけで表裏一対のシートが連結された形状となり，市販されている２辺が開口部となった右下に三角形の切込みを有する樹脂材料の書類ホルダと実質同様の形状となる，樹脂材料の封筒。
　【請求項２】前記表裏一対の樹脂材料のシートの素材が，光透過性を有する樹脂材料であることを特徴とする請求項１記載の樹脂材料の封筒。
　【請求項３】請求項１記載の樹脂材料の封筒を製造する製造方法であって，前記封筒を展開した形状であって，互いに対向する一対の側端縁を有する樹脂材料の展開シート１を形成し，前記の樹脂材料の展開シート１において，上下分離線２１ａ，２１ｂを，該展開シートの上端縁の内方に上下分離線２１ａとシート２の上端縁との間の距離と上下分離線２１ｂとシート３の上端縁との間の距離を同じに形成し，前記展開シート１において，その下端縁と前記上下分離線２１ａ，２１ｂとの間において，前記上下分離線と該展開シートの下端縁を結ぶように，側方分離線２２ａ，２２ｂを，側方分離線２２ａとシート２の右側端部との間の距離と側方分離線２２ｂとシート３の右側端部との間の距離が同じになるように形成し，かつ，該側方分離線２２ａを下端縁近傍で，市販されている２辺が開口部となった書類ホルダが有する右下の三角形の切込みとなるように形成し，ならびに，上下分離線２１ａ，２１ｂと側方分離線２２ａ，２２ｂを分離する場合に市販されている樹脂材料の書類ホルダと実質同様の切り口となるミシン目あるいは該シートの表面から凹んだ溝によって形成し，前記樹脂材料の展開シート１を，側方分離線２２ａ，２２ｂ同士および上下分離線２１ａ，２１ｂ同士，ならびに，前記一対の側端縁同士が重なり合うように折り曲げて，該一対の側端縁同士，および重なり合った下端縁同士を連結することを特徴とする樹脂材料の封筒の製造方法。
　【請求項４】前記樹脂材料の展開シート１が，打ち抜き加工によって一の樹脂材料の原シートから打ち抜かれて形成されたものであり，前記原シート１から前記展開シートを打ち抜くと同時に，該展開シート１に，分離する場合に市販されている樹脂材料の書類ホルダと実質同様の切り口となるミシン目によって，あるいは該シートの表面から凹んだ溝によって前記上下分離線および前記側方分離線を形成することを特徴とする請求項３記載の封筒の製造方法。」
　
　補正後の請求項１，請求項２，請求項３は，それぞれ補正前の請求項１，請求項４，請求項５に由来し，補正後の請求項４は，補正前の請求項６及び請求項７に由来するといえる。
　請求項１の補正は，シートの材質を樹脂材料に限定し，上下分離線同士及び側方分離線同士が重なり合うこと，上下分離線及び側方分離線がミシン目あるいはシートの表面から凹んだ溝によって形成されること，側方分離線が下端部近傍で三角形の切込みとなるように形成されていること等を特定したものである。請求項２ないし請求項４は，請求項１を直接あるいは間接に引用するものであるから，これらの請求項についても，請求項１と同じ内容の補正がなされたといえる。そして，本件補正が産業上の利用分野及び解決しようとする課題を変更するものでないことは明らかである。
　したがって，本件補正は，平成１８年法律第５５号改正附則第３条第１項によりなお従前の例によるとされる同法による改正前の特許法第１７条の２第４項第２号の特許請求の範囲の減縮を目的とするものに該当する。
　そこで，本件補正後の請求項１に記載された事項により特定される発明（以下「本願補正発明」という。）が，特許出願の際独立して特許を受けることができるものであるか（平成１８年法律第５５号改正附則第３条第１項によりなお従前の例によるとされる同法による改正前の特許法第１７条の２第５項において準用する同法第１２６条第５項の規定に適合するか）について検討する。
　
２．引用刊行物
（１）原査定の拒絶の理由に引用された，本願の出願前に頒布された刊行物である特開２００３−１９１９６２号公報（以下「引用例１」という。）には，図面とともに，次の事項が記載されている。
　１ａ）「【００２０】まず，図１（ａ）を参照して，封筒１の全体構成について説明する。本発明の封筒１は，環境保護等の観点から使用済み封筒の再利用を促進するために，書類等を保管するフォルダとして再利用できるように構成されたものであり，袋状に形成された本体２と封かん用のフラップ３とを備えている。」
　１ｂ）「【００２１】本体２は，書類等を収納するための部位であり，図１（ａ）に示すように，１側辺（図１（ａ）上側）に開口部４が形成された略矩形袋状に構成されている。この本体２は，互いに対向する裏部２ａ（図１（ａ）紙面手前側）と表部２ｂ（図１（ａ）紙面奥側）とを備え，これら裏部２ａと表部２ｂとから略矩形袋状に形成されている。」
　１ｃ）「【００２２】本体２には，その互いに交差する２側辺（図１（ａ）上側及び右側）に，複数の切り取りミシン目が設けられている。この切り取りミシン目は，使用済み封筒１をフォルダとして再利用する際に，はさみ等の使用など特別な手間をかけることなく容易に封筒１を切り取ることができるように設けられたものであり，外形ミシン目５，６と見出しミシン目７とを備えている。
【００２３】外形ミシン目５は，開口部４側（図１（ａ）上側）の端部を本体２から切り離す為の切り取りミシン目であり，その開口部４側の側辺から所定間隔内側（図１（ａ）下方）において，本体２の一端から他端までの間を左右に横断して直線状に設けられている。また，外形ミシン目６は，本体２の開口部４に連設された側辺（図１（ａ）右側）の端部を本体２から切り離す為の切り取りミシン目であり，その側辺の端縁部（図１右端）から所定間隔内側（図１（ａ）左方）において，上述した外形ミシン目５から本体２の底部（図１（ａ）下側）までの間を上下に横断して直線状に設けられている。
【００２４】これら外形ミシン目５，６は，本体２の裏部２ａと表部２ｂとのそれぞれに重ねて設けられており，かかる外形ミシン目５，６に沿って本体２を切り取ることによって，本体２の裏部２ａと表部２ｂとを同時に切り取ることができる。よって，本体２の各端部（図１（ａ）上側及び下側）を容易に本体２から切り離すことができ，その結果，後述するように本体２を２側辺が開口したフォルダ状に効率的に形成することができるのである。」
　１ｄ）「【００３３】具体的には，まず，図１（ｂ）に示すように，数字「１」が表示された切り取り順序表示８ａに従って外形ミシン目５を矢印の方向へ切り取る。この外形ミシン目５に沿いつつ本体２の裏部２ａと表部２ｂとを同時に切り取ることにより，本体２の上側（図１（ｂ）上側）の端部が本体２から切り離され，図２に示すように，本体２の上側（図２上側）側辺が開口する。
【００３４】次いで，数字「２」が表示された切り取り順序表示８ｂに従って外形ミシン目６を矢印の方向へ切り取る。この外形ミシン目６に沿いつつ本体２の裏部２ａと表部２ｂとを同時に切り取ることにより，，本体２の右側（図１（ｂ）右側）の端部が本体２から切り離され，図２に示すように，本体２の右側（図２右側）側辺が開口する。
【００３５】その結果，本体２（封筒１）は，図２に示すように，互いに交差する２側辺（図２上側及び右側）が開口した状態に構成され，使用済みの封筒１（本体２）をフォルダとして再利用することができるのである。」
　
　上記記載事項１ａ〜１ｄ及び図面の記載によれば，引用例１には，次の発明が記載されているといえる（以下「引用発明」という。）。
　「裏部２ａと表部２ｂとから矩形袋状に構成され上側に開口部４を有する本体２と，封かん用のフラップ３とを備えた封筒であって，本体２の上側及び右側の２側辺には，裏部２ａと表部２ｂのそれぞれに重ねて外形ミシン目５，６が設けられ，上側の外形ミシン目５は，開口部４側の側辺から所定間隔内側において左右に横断して直線状に設けられたものであり，また，右側の外形ミシン目６は，右側辺の端縁部から所定間隔内側において外形ミシン目５から本体２の底部までの間を上下に横断して直線状に設けられたものであり，この封筒の受取人が，上側の外形ミシン目５に沿って裏部２ａと表部２ｂを同時に切り取った後，右側の外形ミシン目６に沿って裏部２ａと表部２ｂを同時に切り取ることにより，上側及び右側の２側辺が開口したフォルダとして再利用することができるようにした封筒。」
　
（２）前置報告書において周知例として提示された，本願の出願前に頒布された刊行物である登録実用新案第３０７０３９０号公報（以下「引用例２」という。）には，図面とともに，次の事項が記載されている。
　２ａ）「【０００８】
【考案の実施の形態】図１はこの考案にかかるホルダの一例を示す正面図である。このホルダ１０は，略長方形状の袋部１２を含む。
【０００９】袋部１２は，たとえばポリプロピレンからなる略長方形状の１枚の合成樹脂シート１４を含む。合成樹脂シート１４は，中央部分で折り曲げられ，２つに折り畳まれる。この合成樹脂シート１４の折り曲げられた中央部分で，袋部１２の１つの辺１２ａが形成される。
【００１０】　袋部１２は，辺１２ａに隣接する１つの辺１２ｂが溶着される。」
　２ｂ）「【００１１】また，袋部１２は，他の２つの辺１２ｃおよび１２ｄに開口部を有する。さらに，袋部１２の辺１２ｃにおいて，２層に重なる合成樹脂シート１４のうちの一方の層の端部には，その上部にたとえば半円形状の切欠部１６が形成され，その下部にたとえば略３角形状の切欠部１８が形成される。切欠部１６は，２層に重なる合成樹脂シート１４のうちの１つの層をつまみやすくするためのものである。また，切欠部１８は，袋部１２の開口部を開いたときに袋部１２の溶着部ないしは合成樹脂シート１４の溶着部に加わる力を初期的に緩和するためのものである。
【００１２】このホルダ１０では，袋部１２の中にたとえば書類などの薄状の物を収納することができる。」
　２ｃ）図１を参照すると，３角形状の切欠部１８は，辺１２ｃの下方，すなわちホルダ１０の右下に形成されることが看取できる。
　
３．対比・判断
　本願補正発明と引用発明とを対比する。
　引用発明の「表部２ｂ」，「裏部２ａ」，「上側の外形ミシン目５」，「右側の外形ミシン目６」は，それぞれ本願補正発明の「シート２」，「シート３」，「上下分離線２１ａ，２１ｂ」，「側方分離線２２ａ，２２ｂ」に相当する。
　引用発明は，裏部２ａと表部２ｂとから矩形袋状に構成され上側に開口部４を有する本体２を備える封筒であるから，本願補正発明における「表裏一対のシートにおいて，その左側端縁同士を連結する左側端部１０ａと，その右側端縁同士を連結する右側端部１０ｂと，その下端縁同士を連結する下端部１０ｄと，その上端縁間に開口部とを有する封筒」との要件を備える。
　引用発明は，上側の外形ミシン目５が裏部２ａと表部２ｂのそれぞれに重ねて設けられ，この外形ミシン目５に沿って裏部２ａと表部２ｂを同時に切り取ることができるようにしたものであるから，本願補正発明における「上下分離線２１ａ，２１ｂが，上下分離線２１ａとシート２の上端縁１０ｃとの間の距離と上下分離線２１ｂとシート３の上端縁１０ｃとの間の距離が同じになり，上下分離線２１ａ，２１ｂ同士が重なり合うように形成されており」との要件を備える。
　引用発明は，右側の外形ミシン目６が裏部２ａと表部２ｂのそれぞれに重ねて設けられ，この外形ミシン目６に沿って裏部２ａと表部２ｂを同時に切り取ることができるようにしたものであるから，本願補正発明における「側方分離線２２ａ，２２ｂが，側方分離線２２ａとシート２の右側端部１０ｂとの間の距離と側方分離線２２ｂとシート３の右側端部１０ｂとの間の距離が同じになり，側方分離線２２ａ，２２ｂ同士が重なり合うように形成されており」との要件を備える。
　引用発明において，上側の外形ミシン目５及び右側の外形ミシン目６で本体２を分離した場合，フォルダとして再利用可能なものが，下端部と左側端部だけで表部２ｂと裏部２ａが連結された形状であることは明らかである。
　したがって，本願補正発明と引用発明は，本願補正発明の表記にしたがえば，
　「表裏一対のシート２，３を有し，該表裏一対のシートにおいて，その左側端縁同士を連結する左側端部１０ａと，その右側端縁同士を連結する右側端部１０ｂと，その下端縁同士を連結する下端部１０ｄと，その上端縁間に開口部とを有する封筒であって，前記開口部の内方に上下分離線２１ａ，２１ｂが，上下分離線２１ａとシート２の上端縁１０ｃとの間の距離と上下分離線２１ｂとシート３の上端縁１０ｃとの間の距離が同じになり，上下分離線２１ａ，２１ｂ同士が重なり合うように形成されており，該上下分離線と前記下端部との間において，該上下分離線２１ａ，２１ｂと前記下端部を結ぶように側方分離線２２ａ，２２ｂが，側方分離線２２ａとシート２の右側端部１０ｂとの間の距離と側方分離線２２ｂとシート３の右側端部１０ｂとの間の距離が同じになり，側方分離線２２ａ，２２ｂ同士が重なり合うように形成されており，上下分離線２１ａ，２１ｂおよび前記側方分離線２２ａ，２２ｂがミシン目あるいは該シートの表面から凹んだ溝によって形成されたものであり，シートの上端縁を上下分離線２１ａ，２１ｂにおいて他の部分から分離する場合に，開封することができ，次いで右側端部１０ｂを側方分離線２２ａ，２２ｂおいて封筒の他の部分から分離する場合に，下端部と左側端部だけで表裏一対のシートが連結された形状となる封筒。」の点で一致し，次の点で一応相違する。
［相違点１］
　本願補正発明の封筒は，樹脂材料のシートから構成されるのに対して，引用発明の封筒は，その材質が明らかでない点。
［相違点２］
　本願補正発明では，側方分離線２２ａが，下端部１０ｄ近傍で，市販されている２辺が開口部となった樹脂材料の書類ホルダが有する右下の三角形の切込みとなるように形成されており，上下分離線２１ａ，２１ｂおよび側方分離線２２ａ，２２ｂが分離する場合に，市販されている２辺が開口部となった右下に三角形の切込みを有する樹脂材料の書類ホルダと実質同様の形状となるのに対して，引用発明では，上側の外形ミシン目５及び右側の外形ミシン目６は，上側及び右側の２側辺が開口したフォルダとして再利用できるようにするためのものであるが，右側の外形ミシン目６は三角形の切込みを備えず，上側の外形ミシン目５及び右側の外形ミシン目６で分離した場合，市販されている２辺が開口部となった右下に三角形の切込みを有する樹脂材料の書類ホルダと実質同様の形状となるとはいえない点。
　相違点１について検討する。樹脂製の封筒は，例えば，登録実用新案第３０２０２６９号公報，特開平７−１６９５８号公報，特開平１−２５４５５２号公報に示されるように，従来からよく知られている。引用発明の封筒を樹脂製とすることは，当業者が容易に想到し得たことである。
　相違点２について検討する。本願補正発明における「市販されている」「樹脂材料の書類ホルダ」は，書類ホルダのサイズを特定したものではないから，本願補正発明における「市販されている２辺が開口部となった右下に三角形の切込みを有する樹脂材料の書類ホルダと実質同様の形状」は，“２辺が開口部となった右下に三角形の切込みを有する形状であって書類ホルダとして機能するもの”を意味するに過ぎないというべきであるところ，上辺と右辺に開口部を有する書類ホルダの右下に３角形状の切欠部を設けることは，例えば，引用例２に示されるように（記載事項２ａ〜２ｃ参照），従来からよく知られている。相違点２は，この周知技術を参酌することにより，当業者が容易に想到し得たことである。
　以上のことから，本願補正発明は，引用発明及び周知技術に基づいて，当業者が容易に発明をすることができたものであるので，特許法第２９条第２項の規定により，特許出願の際独立して特許を受けることができない。
　なお，請求人は，平成２２年１０月２２日付けの回答書において，「本願発明の封筒で設けられた三角形の切込みは，分離されたファイルにおいては出願前の周知の事実と同様であるが，分離する前においては，その構造から明らかな機能を発揮する。すなわち，封筒で設けられた三角形の切込みは，書類ホルダを破損することなく切り取り，形成することに貢献するという，従来の書類ホルダの使用による効果とは異質な効果が付加されるのである。その効果は封筒からの書類ホルダの切り離しに不可分の事項であり，書類ホルダの切り離し時に特に有用な構成であるから，出願前の周知の事実から容易に想到されるものではない。」と主張する。しかし，「三角形の切込み」については，本願の願書に（最初に）添付した図面において看取できるものの，本願の願書に（最初に）添付した明細書又は特許請求の範囲には何ら記載のないものであり，その作用は不明というべきである。請求人が主張する上記「異質な効果」を認めることはできない。
　
４．むすび
　以上のとおりであるから，本件補正は，平成１８年法律第５５号改正附則第３条第１項によりなお従前の例によるとされる同法による改正前の特許法第１７条の２第５項において準用する同法第１２６条第５項の規定に違反するので，同法１５９条第１項の規定において読み替えて準用する同法第５３条第１項の規定により却下すべきものである。
　
第４．本願発明
　本件補正は，上記のとおり却下されたので，本願の請求項１に係る発明は，願書に最初に添付した特許請求の範囲の請求項１に記載された事項により特定されるとおりのものである（以下「本願発明」という。「第３」の「１．本件補正の概要」参照。）
　
第５．引用刊行物
　原査定の拒絶の理由に引用された刊行物及びその記載事項は，前記「第３」の「２．引用刊行物」に記載したとおりである。
　
第６．対比・判断
　本願発明は，本願補正発明から，前記「第３」の「１．本件補正の概要」に記載した限定を外したものである。
　してみると，本願発明の発明特定事項をすべて含み，さらに他の構成要件を付加したものに相当する本願補正発明が，前記「第３」の「３．対比・判断」に記載したとおり，引用発明及び周知技術に基づいて当業者が容易に発明をすることができたものであるから，本願発明も，同様の理由で当業者が容易に発明をすることができたものである。
　
第７．むすび 
　以上のとおり，本願発明は，引用発明及び周知技術に基づいて当業者が容易に発明できたものであって，特許法第２９条第２項の規定により特許を受けることができないから，本願の他の請求項に係る発明について検討するまでもなく，本願は拒絶されるべきものである。 
　したがって，原査定は妥当であり，結論のとおり審決する。